(57)【要約】【課題】  単一の基準信号発振器で複数ブランチの同期を高安定にとることができるＯＦＤＭダイバーシティ同期装置等を提供する。【解決手段】  複数のアンテナ１ａ、１ｂと、アンテナ１ａ、１ｂ毎に接続される受信系統２ａ、２ｂと、受信系統２ａ、２ｂの各々に共通のクロック信号を供給する基準クロック信号発生器３と、受信系統２ａ、２ｂ毎のシンボル切出位置とマスターシンボルパルスの位置との時間位相誤差ｄｔａ、ｄｔｂを求めると共に受信系統２ａ、２ｂ毎の時間位相誤差ｄｔａ、ｄｔｂの間の平均値を求める演算手段３１と、マスターシンボルパルスの位置を前記平均値の位置に制御する制御手段３４とを備える。【選択図】  図１
2006050283.tif 000002
【特許請求の範囲】
【請求項１】
複数のアンテナと、前記アンテナ毎に接続される受信系統と、前記受信系統の各々に共通のクロック信号を供給する基準クロック信号発生器と、前記受信系統毎のシンボル切出位置と基準クロック信号（以下、マスターシンボルパルスという。）の位置との時間位相誤差を求めると共に前記受信系統毎の前記時間位相誤差の間の平均値を求める演算手段と前記マスターシンボルパルスの位置を前記平均値の位置に制御する制御手段とを備えることを特徴とするＯＦＤＭダイバーシティ同期装置。
【請求項２】
前記制御手段は、前記クロック信号の周波数を可変制御して前記マスターシンボルパルスの位置を前記平均値の位置に制御することを特徴とする請求項１に記載のＯＦＤＭダイバーシティ同期装置。
【請求項３】
前記平均値の位置は、各受信系統の受信状態に基づいた重み付き平均位置であることを特徴とする請求項１または請求項２に記載のＯＦＤＭダイバーシティ同期装置。
【請求項４】
前記演算手段は、複数の前記受信系統のうち同期不安定となった受信系統の前記時間位相誤差を用いずに前記平均値を求めることを特徴とする請求項１乃至請求項３のいずれかに記載のＯＦＤＭダイバーシティ同期装置。
【請求項５】
請求項１乃至請求項４のいずれかに記載のＯＦＤＭダイバーシティ同期装置を搭載したことを特徴とするＯＦＤＭダイバーシティ中継装置。
【請求項６】
請求項１乃至請求項４のいずれかに記載のＯＦＤＭダイバーシティ同期装置を搭載したことを特徴とするＯＦＤＭダイバーシティ受信端末装置。
【請求項７】
前記伝送方式をＯＦＤＭで行う携帯電話機であることを特徴とするＯＦＤＭダイバーシティ受信端末装置。
【請求項８】
前記伝送方式をＯＦＤＭで行うＭＩＭＯ(Multi-Input Multi-Output)受信機であることを特徴とするＯＦＤＭダイバーシティ受信端末装置。
【発明の詳細な説明】
【技術分野】
【０００１】
本発明は、複数のアンテナでＯＦＤＭ（Orthogonal Frequency Division Multiplexing：直交周波数分割多重）信号を受信するＯＦＤＭダイバーシティ同期装置及び受信端末装置並びに中継装置に関し、特に、各アンテナで受信した信号間の同期を安定にとることができるＯＦＤＭダイバーシティ同期装置及び受信端末装置並びに中継装置に関する。
【背景技術】
【０００２】
地上波デジタル放送や無線ＬＡＮ等では、高品質且つ高速に無線伝送を行うＯＦＤＭが実用化されている。このＯＦＤＭを伝送方式として適用する場合、受信端末装置や中継装置に複数のアンテナを設け、ダイバーシティ受信を行うのがマルチパス対策として有効である。
【０００３】
例えば下記特許文献１、２、３記載の従来技術では、受信端末装置にアンテナを複数本設ける共に、各アンテナに接続される直交復調部や高速フーリエ変換部（ＦＦＴ）等の受信系統も複数系統設け、各受信系統で夫々受信した受信信号を受信系統毎に独立に復調し、復調後の信号を合成している。
【０００４】
各受信系統では、夫々、受信信号を、同期をとりながら復調する必要があるため、基準信号を発振させる基準信号発振器が必要となる。しかし、各受信系統毎に、基準信号を発振させる電圧制御発振器（ＶＣＯ）を設けると回路規模が増大してしまうため、特許文献１記載の従来技術では、各受信系統で共通の単一のＶＣＯを設け、このＶＣＯで発振させた基準信号を各受信系統に供給する構成としている。
【０００５】
また、下記非特許文献１に示されるような、送信および受信の無線端末に複数のアンテナを用いて通信する技術も公知である。
【０００６】
【特許文献１】特開２００１―３４５７７８号公報
【特許文献２】特開平１１―２０５２０８号公報
【特許文献３】特開２００１―１５６７３８号公報
【非特許文献１】Arogyaswami Paulraj, Rohit Nabar, Dhananjay Gore,"Introduction to Space-Time Wireless Communications",pp148-162,Cambridge University Press 2003
【発明の開示】
【発明が解決しようとする課題】
【０００７】
しかしながら、上述した特許文献１には、クロック周波数に関しての記述があるのみで、シンボルタイミングについては、具体的な記載がない。通常、各ブランチごとに独立したシンボルタイミングを生成することが考えられるが、この場合、合成部において、各ブランチ間の同期をとるために、ＦＩＦＯ（First In First Out memory）等のメモリを用いてタイミングを調整する必要がある。また、各ブランチが独立したシンボルタイミングを用いる場合、一般に各ブランチにマスター／スレーブの関係を用いるため、例えば、マスターブランチが同期不安定となった場合、システム全体が不安定となる課題を有していた。さらに、シンボルタイミングのとり方を誤ると、一方の受信系統における同期が不安定になったとき、２系統の受信信号の合成処理において復調信号の同期処理が不可能となり、全ての系統の受信データが破綻してしまい、再び同期がとれるようになるまでの間、受信データが中断してしまうという問題が生じる。即ち、受信装置が携帯電話機であれば通話が一時中断し、車載テレビ受像機であれば映像や音声が、中継装置であれば放送が一時中断してしまう。
【０００８】
本発明の目的は、単一の基準信号発振器で同期を高安定にとることができるＯＦＤＭダイバーシティ同期装置及び受信端末装置並びに中継装置を提供することにある。
【課題を解決するための手段】
【０００９】
本発明のＯＦＤＭダイバーシティ同期装置は、複数のアンテナと、前記アンテナ毎に接続される受信系統と、前記受信系統の各々に共通のクロック信号を供給する基準クロック信号発生器と、前記受信系統毎のシンボル切出位置とマスターシンボルパルスの位置との時間位相誤差を求めると共に前記受信系統毎の前記時間位相誤差の間の平均値を求める演算手段と、前記マスターシンボルパルスの位置を前記平均値の位置に制御する制御手段とを備えることを特徴とする。
【００１０】
この構成により、同期を高安定にとることが可能となり、いずれかの受信系統で同期不可となっても全ての受信系統で受信データが破綻することがなくなり、受信の中断を回避することが可能となる。
【００１１】
本発明のＯＦＤＭダイバーシティ同期装置の前記制御手段は、前記クロック信号の周波数を可変制御して前記マスターシンボルパルスの位置を前記平均値の位置に制御することを特徴とする。
【００１２】
この構成により、装置構成が一層簡単になる。
【００１３】
本発明のＯＦＤＭダイバーシティ同期装置における前記平均値の位置は、各受信系統の受信状態に基づいた重み付き平均位置であることを特徴とする。
【００１４】
この構成により、受信状況に応じた最適な位置にマスターシンボルパルスの位置を制御可能となる。
【００１５】
本発明のＯＦＤＭダイバーシティ同期装置の前記演算手段は、複数の前記受信系統のうち同期不安定となった受信系統の前記時間位相誤差を用いずに前記平均値を求めることを特徴とする。
【００１６】
この構成により、同期不安定となった受信系統の悪影響を軽減できる。
【００１７】
本発明のＯＦＤＭダイバーシティ中継装置は、上記のいずれかに記載のＯＦＤＭダイバーシティ同期装置を搭載することを特徴とする。
【００１８】
この構成により、中継装置における同期を高安定にとることが可能となる。
【００１９】
本発明のＯＦＤＭダイバーシティ受信端末装置は、上記のいずれかに記載のＯＦＤＭダイバーシティ同期装置を搭載することを特徴とする。
【００２０】
この構成により、受信端末装置の同期を高安定にとることが可能となる。
【００２１】
本発明の受信端末装置は携帯電話機であることを特徴とする。
【００２２】
この構成により、通話中断がない携帯電話機を提供できる。
【発明の効果】
【００２３】
本発明によれば、単一の基準信号発振器で同期を高安定にとることができるＯＦＤＭダイバーシティ同期装置及び受信端末装置並びに中継装置を提供することが可能となる。
【発明を実施するための最良の形態】
【００２４】
以下、本発明の一実施形態について、図面を参照して説明する。
【００２５】
図１は、本発明の一実施形態におけるＯＦＤＭダイバーシティ同期装置の機能ブロックである。このＯＦＤＭダイバーシティ同期装置は、第１のアンテナ１ａに接続されその受信信号（以下、ブランチａの受信信号という。）を取り込んで復調処理する第１の受信系統２ａと、第２のアンテナ１ｂに接続されその受信信号（以下、ブランチｂの受信信号という。）を取り込んで復調処理する第２の受信系統２ｂと、１個の電圧制御水晶発振器（以下、ＶＣＸＯという。）３と、このＶＣＸＯ３に制御電圧を出力してＶＣＸＯ３から基準クロック信号を発振させる同期制御部４と、第１の受信系統２ａから出力される復調信号から伝送路特性を推定し、その逆特性をかけることにより復調信号を等化する第１の等化部５ａと、第２の受信系統２ｂから出力される復調信号から伝送路特性を推定し、その逆特性をかけることにより復調信号を等化する第２の等化部５ｂと、第１の等化部５ａの出力信号と第２の等化部５ｂの出力信号とを合成し復調信号を出力する合成部６とを備える。
【００２６】
第１の受信系統２ａは、受信アンテナ１ａを通して受信したＲＦ帯域の信号をアナログベースバンド信号にダウンコンバートとするフロントエンド部１１ａと、フロントエンド部１１ａにてダウンコンバートされたアナログ受信信号に対して自動利得制御したりＶＣＸＯ３からのクロック信号に基づいてアナログ受信信号をデジタル信号に変換するＡＤ変換部１２ａと、このデジタル信号に対して直交復調処理を施す直交復調部１３ａと、直交復調部１３ａから出力された複素デジタル信号の位相を推定されたキャリア周波数誤差情報に基づいて回転させるキャリア周波数誤差補正部１４ａと、出力調整を行う出力調整部１５ａ、出力調整部１５ａから出力される複素デジタル信号に対し、窓位置検出部２４ａから出力されるＦＦＴ窓位置検出情報に従ってＯＦＤＭ信号１シンボル分の信号を高速フーリエ変換しＯＦＤＭ信号のサブキャリア毎の複素シンボルを生成し出力する高速フーリエ変換（ＦＦＴ）部１６ａとを備えて構成される。
【００２７】
第２の受信系統２ｂと第１の受信系統２ａと同一構成でなり、フロントエンド部１１ｂと、ＡＤ変換部１２ｂと、直交復調部１３ｂと、キャリア周波数誤差補正部１４ｂと、出力調整部１５ｂと、ＦＦＴ部１６ｂとを備えて構成される。
【００２８】
同期制御部４は、ブランチａ用のタイミングパルスを出力するシンボルパルス制御部２１ａと、シンボルパルス制御部２１ａからのタイミングパルスを受けて動作するブランチａ用同期制御部２２ａと、ブランチｂ用のタイミングパルスを出力するシンボルパルス制御部２１ｂと、シンボルパルス制御部２１ｂからのタイミングパルスを受けて動作するブランチｂ用同期制御部２２ｂと、両シンボルパルス制御部２１ａ、２１ｂからの信号を受信してＶＣＸＯ３の発振周波数を帰還制御すると共にマスターシンボルパルスを生成しマスターシンボルパルスの発生タイミングを制御するマスターシンボル制御部３０とを備える。
【００２９】
ブランチａ用同期制御部２２ａは、キャリア周波数誤差補正部１４ａから出力される複素デジタル信号を取り込みガード相関を演算する相関演算部２３ａと、相関演算部２３ａからの出力信号を取り込みＦＦＴ窓位置を検出してＦＦＴ部１６ａに出力する窓位置検出部２４ａと、相関演算部２３ａの出力信号を取り込みシンボル切出位置を検出し検出結果をシンボルパルス制御部２１ａに出力するシンボル切出位置検出部２５ａと、相関演算部２３ａの出力信号を取り込みクロック周波数誤差及びキャリア周波数誤差を推定し推定値をシンボルパルス制御部２１ａに出力すると共にキャリア周波数誤差補正部１４ａにフィードバックする誤差推定部２６ａとを備える。
【００３０】
ブランチｂ用同期制御部２２ｂもブランチａ用同期制御部２２ａと同一構成でなり、相関演算部２３ｂと、窓位置検出部２４ｂと、シンボル切出位置検出部２５ｂと、誤差推定部２６ｂとを備える。
【００３１】
本実施形態の特徴に関わるマスターシンボルパルス制御部３０は、シンボルパルス制御部２１ａ、２１ｂからの信号を取り込み各ブランチａ、ｂにおける後述の時間位相誤差ｄｔａ、ｄｔｂを算出する時間位相演算部３１と、時間位相演算部３１で算出した各ブランチａ、ｂの時間位相誤差ｄｔａ、ｄｔｂから両ブランチａ、ｂに最適な時間位相ｄｔを算出してＶＣＸＯ３の発振周波数をアップまたはダウンさせる複数ブランチ合成部３２と、複数ブランチ合成部３２から出力される周波数アップ指令またはダウン指令に応じた帰還制御量をＶＣＸＯ３にフィードバックする帰還制御部３３と、両ブランチａ、ｂに共通のマスターシンボルパルスを生成してＦＦＴ部１６ａ、１６ｂ及び図示しない必要箇所に出力すると共に複数ブランチ合成部３２で生成された周波数アップまたは周波数ダウンの指令に応じてマスターシンボルパルスの発生タイミングを後述の様に調整するマスターシンボルパルス生成部３４とを備える。
【００３２】
尚、マスターシンボルパルス生成部３４は、複数ブランチ合成部３２から出力される基準クロックの周波数アップまたはダウンの指令に応じてマスターシンボルパルスの発生タイミング位置を調整する構成でも、また、周波数アップまたはダウンされた基準クロック信号を受信してマスターシンボルパルスの発生タイミング位置を調整する構成でもよい。
【００３３】
図２は、図１に示すマスターシンボルパルス制御部３０の時間位相演算部３１及び複数ブランチ合成部３２の動作を示すフローチャートである。また、図３は、各ブランチａ、ｂにおける時間位相誤差ｄｔａ、ｄｔｂを示すタイミングチャートである。
【００３４】
時間位相演算部３１は、ブランチａのシンボルパルス制御部２１ａから出力されるタイミング信号を取り込み、同期が確立しているか否かを判定する（ステップＳ１ａ）。同期が確立していると判断できるときは、次に、ブランチａにおけるシンボル切出位置が正しいか否かを判定する（ステップＳ２ａ）。
【００３５】
そして、シンボル切出位置が正しいと判断できるときは、ブランチａにおける時間位相誤差ｄｔａを、
ｄｔａ＝〔ブランチａのシンボル切出位置〕−〔シンボル同期位置〕
の式により求める（ステップＳ３ａ）。シンボル同期位置とは、マスターシンボルパルス位置である。
【００３６】
同期が確立していない場合や、シンボル切出位置が正しくない場合、時間位相誤差ｄｔａの演算ができないときには、ステップＳ１ａに戻って各ステップ処理を繰り返し、ブランチａにおける時間位相誤差ｄｔａを求める。
【００３７】
同様に、時間位相演算部３１は、ブランチｂのシンボルパルス制御部２１ｂから出力されるタイミング信号を取り込み、同期が確立しているか否かを判定する（ステップＳ１ｂ）。同期が確立していると判断できるときは、次に、ブランチｂにおけるシンボル切出位置が正しいか否かを判定する（ステップＳ２ｂ）。
【００３８】
そして、シンボル切出位置が正しいと判断できるときは、ブランチｂにおける時間位相誤差ｄｔｂを、
ｄｔｂ＝〔ブランチｂのシンボル切出位置〕−〔シンボル同期位置〕
の式により求める（ステップＳ３ｂ）。
【００３９】
同期が確立していない場合や、シンボル切出位置が正しくない場合、時間位相誤差ｄｔｂの演算ができないときには、ステップＳ１ｂに戻って各ステップ処理を繰り返し、ブランチｂにおける時間位相誤差ｄｔｂを求める。
【００４０】
特にマルチパス環境では、ブランチａにおける時間位相誤差ｄｔａとブランチｂにおける時間位相誤差ｄｔｂとは、図３に示す様に、ズレが大きく生じてしまう。そこで、本実施形態におけるマスターシンボルパルス制御部３０のマスターシンボルパルス生成部３４は、受信信号データのシンボル毎に発生させるマスターシンボルパルス（基準シンボルパルス）の発生タイミングを、次のようにして調整する。
【００４１】
先ず、ブランチａとブランチｂとは非同期状態で動作しているためブランチａにおける更新タイミングとブランチｂにおける更新タイミングの二つを比較して、が一致するまで待つ（図２のステップＳ１１）。そして、両ブランチａ、ｂの更新タイミングが一致したとき（ステップＳ１１の判定結果がＹｅｓ）は、次に、時間位相誤差ｄｔａ、ｄｔｂの合成（以下、ｄｔ合成という。）を行う（ステップＳ１２）。
【００４２】
このｄｔ合成は、例えば、
ｄｔ＝（ｄｔａ＋ｄｔｂ）／２
として算出する。
【００４３】
次に、算出されたｄｔが零であるか否か、即ち、算出されたｄｔと現在のマスターシンボルパルス位置との誤差が零であるか否かを判定し（ステップＳ１３）、ｄｔ＝０のときはステップＳ１１に戻る。ｄｔ＝０でないときは、次に、ｄｔ＞０であるか否かを判定する（ステップＳ１４）。
【００４４】
ｄｔ＞０でないとき、即ち、ｄｔ≦０のときは、図３に示すクロック周波数をアップさせ（ステップＳ１５）、その後、ステップＳ１１に戻る。これにより、図４に示す様に、マスターシンボルパルスの発生位置が進み、ステップＳ１２で求めたｄｔ位置に移動する。
【００４５】
ｄｔ＞０のときは、クロック周波数をダウンさせ（ステップＳ１６）、その後、ステップＳ１１に戻る。これにより、図４とは逆に、マスターシンボルパルスの発生位置が遅れ、ステップＳ１２で求めたｄｔ位置に移動する。
【００４６】
この様に、図１に示す複数ブランチ合成部３２におけるクロック周波数のアップ指令またはダウン指令に基づいてマスターシンボルパルス生成部３４で発生されるマスターシンボルパルスの発生タイミングか調整され、また、クロック周波数のアップまたはダウンの指令が帰還制御部３３を通してＶＣＸＯ３にフィードバックされるため、周波数アップまたはダウンされた基準クロックがＶＣＸＯ３から両ブランチａ、ｂのＡＤ変換部１２ａ、１２ｄに共通クロックとして与えられる。
【００４７】
尚、本実施形態では、ブランチａ、ｂの２ブランチ構成の同期装置として説明したが、ブランチ数が３以上あっても同様に本発明を適用可能である。また、ステップＳ１２では、説明を簡単にするために、時間位相誤差ｄｔａ、ｄｔｂの単純平均値としてｄｔを算出したが、各ブランチの受信状態（ＡＧＣ（Autonatic Gain Control）電圧値、ＣＮＲ（Carrier to Noise）、ＭＥＲ（Modulation Error Ratio）等）を基に重み付けを行ってｄｔを算出するのがより好適である。更には、各ブランチのうち同期不安定となったブランチの影響を軽減するため、同期不安定なブランチからの時間位相誤差信号をマスクし、ｄｔの算出に用いない構成とするのが良い。
【００４８】
以上述べたように、本実施形態におけるＯＦＤＭダイバーシティ同期装置では、複数ブランチで共通に用いるマスターシンボルパルスの位置を、常時、各ブランチにおける時間位相誤差の平均値位置となるように、好適には、受信状態を基に求めた重み付き平均位置となるように、フィードバック制御するため、同期を高安定にとることが可能となり、しかも、いずれかのブランチで同期不安定となっても、受信可能なブランチが同期を獲得するため受信データが破綻する虞がなくなる。
【００４９】
また、本実施形態では、複数のブランチの同期タイミングを１つのシンボルパルスに合わせるためのタイミング調整回路、例えばＦＩＦＯ等のタイミング調整回路が不要となり、更に、基準信号元であるＶＣＸＯ、ＶＣＯ等の発振回路の削減、小型化を図ることが可能となる。また、ブランチが複数でもシンボルパルス生成部は１つで済むため、各ブランチ間の同期をとるのが容易となり、回路設計が簡単となる。
【００５０】
更に、本実施形態によれば、ブランチ毎の各状態信号（ＡＧＣ電圧値、ＣＮＲ、ＭＥＲ等）の重み付けを行い、クロック周波数誤差補正または時間位相誤差補正をした後、ブランチ間の同期を取るため、電波伝搬環境や移動受信時伝送路特性変動等による信号品質劣化時においても安定して動作することができる。また、受信信号品質の劣化によるブランチ落ちの場合でも、１つのシンボルパルスが基になっているため、マスタースレーブ方式とは異なり、ブランチ間切り替え時において、データが破綻することなくスムースな切り替えが可能となり、複雑な切り替え制御回路が不要となる。
【００５１】
ブランチ毎の状態信号の重み付けの他に環境変動、状態変化、装置経年変化、複数のアンテナ間干渉、アンテナ設置よる遅延時間等のパラメータを補正値として予めメモリしておくことにより、あらゆる環境に最適化された状態で複数のブランチ間で高安定な同期が確保できる。
【００５２】
図５は、本発明の一実施形態に係るＯＦＤＭダイバーシティ中継装置のブロック構成図である。アンテナ１ａ、１ｂから合成部６までの構成は、図１に示すＯＦＤＭダイバーシティ同期装置と同一構成である。尚、図５に示すＯＦＤＭ直交復調部１７ａ、１７ｂは、夫々、図１に示す直交復調部１３ａ、１３ｂ、キャリア周波数誤差補正部１４ａ、１４ｂ、出力調整部１５ａ、１５ｂを纏めたものである。
【００５３】
ＯＦＤＭダイバーシティ中継装置は、一旦受信したＯＦＤＭ信号を復調してから再びＯＦＤＭ信号に変調し、再度、出力アンテナ４１から出力するため、合成部６から出力される復調信号を判定し、信号品質が劣化した部分を求めこの劣化部分を正規化することで信号品質を高める判定部４２と、判定部４２から出力される復調信号を逆高速フーリエ変換する逆高速フーリエ変換部（ＩＦＦＴ）部４３と、逆高速フーリエ変換された復調信号をＯＦＤＭ直交変調するＯＦＤＭ直交変調部４４と、ＯＦＤＭ信号に変換されたデジタル信号でなる復調信号をアナログ信号に変換するＤＡ変換部４５と、ＤＡ変換部４５から出力されるアナログ信号をＲＦ信号にアップコンバートして出力アンテナ４１から送信するフロントエンド部４６とを備える。
【００５４】
判定部４２には、変調精度演算（ＥＶＭ）部４７が接続され、キャリアごとのＥＶＭ（変調精度）解析により、復調信号の位相回転、振幅変化、Ｓ／Ｎ劣化などがモニタ機能４８によりモニタされる。このモニタ結果は、中継装置の各機能ブロックを制御するシステム制御部４９によって監視される様になっている。
【００５５】
このＯＦＤＭダイバーシティ中継装置は、上述したＯＦＤＭダイバーシティ同期装置を備えるため、複数ブランチで共通に用いるマスターシンボルパルスの位置が、常時、各ブランチにおける時間位相誤差の平均値位置となるように、好適には、受信状態を基に求めた重み付き平均位置となるように、フィードバック制御されるため、同期が高安定にとられ、しかも、いずれかのブランチで同期不安定となっても、受信可能なブランチが同期を獲得するため受信データが破綻する虞がなくなるので、中継電波の中断が防止される。
【００５６】
図６は、ＯＦＤＭダイバーシティ受信端末装置の一例である携帯電話機のブロック構成図である。この携帯電話機は、図１で説明したＯＦＤＭダイバーシティ同期装置を搭載し、その基本構成部である、ＯＦＤＭ直交復調部１７ａ、１７ｂ、ＦＦＴ部１６ａ、１６ｂ、等化部５ａ、５ｂ、合成部６、同期制御部４、ＶＣＸＯ３の接続構成は、図１の同期装置、図５の中継装置と同じである。
【００５７】
携帯電話機では、電波の送信及び受信を行うため、図１に示すフロントエンド部１２ａ、１２ｂ及びＡＤ変換部１３ａ、１３ｂの代わりに、夫々、フロントエンド部１８ａ、１８ｂ、ＡＤ変換及びＤＡ変換部１９ａ、１９ｂを備える。フロントエンド部１８ａ、１８ｂは、アンテナ１ａ、１ｂから入力する信号のダウンコンバートを行うと共に、アンテナ１ａ、１ｂから出力する信号のアップコンバートを行う。ＡＤ変換及びＤＡ変換部１９ａ、１９ｂは、アンテナ１ａ、１ｂから入力するアナログ信号をデジタル信号に変換すると共に、アンテナ１ａ、１ｂから出力する信号をアナログ信号に変換する。
【００５８】
これらの各機能ブロックを制御する主制御部５０は、ＩＦＦＴ部４３及びＯＦＤＭ直交変調部４４を内蔵しており、この主制御部５０に、メモリ部５１と、ダイヤルスイッチやジョグダイヤルなどのキー入力部５２と、液晶等の表示部５３とが接続されると共に、通信制御部５４と、マイク５５及びスピーカ５６を持つ音声処理部５７が接続される。
【００５９】
この携帯電話機は、上述したＯＦＤＭダイバーシティ同期装置を備えるため、複数ブランチで共通に用いるマスターシンボルパルスの位置が、常時、各ブランチにおける時間位相誤差の平均値位置となるように、好適には、受信状態を基に求めた重み付き平均位置となるように、フィードバック制御されるため、同期が高安定にとられ、しかも、いずれかのブランチで同期不安定となっても、受信可能なブランチが同期を獲得するため受信データが破綻する虞がなくなるので、移動中であっても通話が中断する虞がなくなる。
【００６０】
図７は、ＭＩＭＯ受信端末装置のブロック構成図である。このＭＩＭＯ受信端末は、図１で説明したＯＦＤＭダイバーシティ同期装置を搭載し、その基本構成部である、ＯＦＤＭ直交復調部１７ａ、１７ｂ、ＦＦＴ部１６ａ、１６ｂ、等化部５ａ、５ｂ、合成部６、同期制御部４、ＶＣＸＯ３の接続構成は、図１の同期装置、図５の中継装置と同じであるが、図６のＯＦＤＭダイバーシティ受信端末装置の合成部６の代わりに、ＭＩＭＯ受信部６０とした受信端末の構成も可能であり、具体的な復調方法は上述した非特許文献１に記載の手段を用いればよい。
【産業上の利用可能性】
【００６１】
本発明に係るＯＦＤＭダイバーシティ同期装置及び受信端末装置並びに中継装置は同期が高安定にとれるという効果を奏し、移動体通信に用いる同期装置、受信装置、中継装置等として有用である。また，送信および受信の無線端末に複数のアンテナを用いて通信するＭＩＭＯ伝送方式にも適用可能である。
【図面の簡単な説明】
【００６２】
【図１】本発明の一実施形態に係るＯＦＤＭダイバーシティ同期装置のブロック構成図
【図２】本発明の一実施形態に係るＯＦＤＭダイバーシティ同期装置で用いるマスターシンボルパルス制御部における動作手順を示すフローチャート
【図３】本発明の一実施形態に係るＯＦＤＭダイバーシティ同期装置で用いるマスターシンボルパルス制御部における動作を説明するタイミングチャート
【図４】本発明の一実施形態に係るＯＦＤＭダイバーシティ同期装置で用いるマスターシンボルパルス制御部におけるマスターシンボルパルスのタイミング調整説明図
【図５】本発明の一実施形態に係るＯＦＤＭダイバーシティ中継装置のブロック構成図
【図６】本発明の一実施形態に係るＯＦＤＭダイバーシティ受信端末装置の一例である
【図７】本発明の一実施形態に係るＭＩＭＯ受信機の一例である携帯電話機のブロック構成図
【符号の説明】
【００６３】
１ａ、１ｂ  アンテナ
２ａ、２ｂ  受信系統（ブランチ）
３  ＶＣＸＯ（電圧制御水晶発振器）
４  同期制御部
１３ａ、１３ｂ  直交復調部
３０  マスターシンボル制御部
３１  時間位相演算部
３２  複数ブランチ合成部
３３  帰還制御部
３４  マスターシンボルパルス生成部
【図１】
2006050283.tif 000003
【図２】
2006050283.tif 000004
【図３】
2006050283.tif 000005
【図４】
2006050283.tif 000006
【図５】
2006050283.tif 000007
【図６】
2006050283.tif 000008
【図７】
2006050283.tif 000009